【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
折りたたみ可能な血液ろ過大動脈アーチブリッジであって、前記ブリッジは、
前記ブリッジが、患者の大動脈アーチ内に配置され拡張された際に、第１及び第２の端部の外周のみが大動脈アーチの内膜に接触するように、管状のウェスト、前記ウェストの第１の端部に形成された第１の円錐形状の端部、及び反対の第２の端部に形成された第２の円錐形状の端部、を備え、拡張した場合に前記ブリッジにダンベル形状を提供するように、構成された、拡張可能で折りたたみ可能なシャーシであって、患者の前記大動脈アーチの曲率に応じて曲がるように、構成され、操作可能な、シャーシ； 
前記シャーシの内面あるいは外面の一つの上に配置され、前記ブリッジが大動脈アーチ内に配置された際に、前記ブリッジを通って患者の大動脈アーチ血管内に流れる血液をろ過するように、構成され、操作可能な、血液ろ過スリーブ；及び、
前記シャーシの外面上に配置され、前記ブリッジを前記大動脈アーチから回収するために前記ブリッジを円筒形状に折りたたむように、構成され、操作可能な、回収スリーブ；
を備える、折りたたみ可能な血液ろ過大動脈アーチブリッジ。
【請求項２】
前記シャーシは、ダンベル形状を有する形状記憶ケージを提供するようにセットされダンベル形状と円筒形との間で変化可能な形状記憶材料で製造された請求項１のブリッジ。
【請求項３】
前記血液ろ過スリーブは、ブリッジの回収のためにブリッジが円筒形から折りたたまれる際に、血液ろ過スリーブが横方向ではなく縦方向に弾性的に拡張及び収縮するように、ニット編みされたメッシュである生物学的適合メッシュで製造された、請求項１のブリッジ。
【請求項４】
前記回収スリーブは、前記スリーブの端部に加わる縦方向の力が、ブリッジを大動脈アーチ内の配置から回収するためのブリッジの円筒形への折りたたみに利用される径方向の力に変換されるように、ブレイド編みされた生物学的適合メッシュで製造された、請求項１のブリッジ。
【請求項５】
前記回収スリーブは、前記回収スリーブに接続され、基端で束ねられた複数の回収ストリングを備え、前記回収ストリングは、ブリッジ回収ツールに接続され、前記回収ツールにより、大動脈アーチ内の配置からのブリッジの回収のために前記ブリッジを円筒形に折りたたむように前記回収スリーブに加えられた縦方向の力を伝達するように、構成及び操作可能である、請求項４のブリッジ。
【請求項６】
前記回収スリーブは、前記ブリッジを前記大動脈アーチ内の配置から回収するために前記回収ツールに磁気的に接続するために前記回収ストリングの束ねられた基端に接続された、磁気ボタンをさらに備える、請求項５のブリッジ。
【請求項７】
前記ブリッジが前記大動脈アーチの物理的形状及び構造に一致するように、前記シャーシの前記第１の円錐形状の端部は、前記第２の円錐形状の端部よりも大きい外径を有する請求項１のブリッジ。
【請求項８】
折りたたみ可能な血液ろ過大動脈アーチブリッジであって、前記ブリッジは、
ブリッジが患者の大動脈アーチ内に配置され、拡張された際に、第１及び第２の端部の外周のみが大動脈アーチの内膜に接触するように、管状のウェスト、前記ウェストの第１の端部に形成された第１の円錐形状の端部、及び反対の第２の端部に形成された第２の円錐形状の端部、を備え、拡張した場合に前記ブリッジにダンベル形状を提供するように構成され、拡張可能であり、折りたたみ可能である、形状記憶材料で製造されたシャーシであって、前記ブリッジが前記大動脈アーチの物理的形状及び構造に一致するように、前記第１の円錐形状は、前記第２の円錐形状の端部よりも大きい外径を有し、前記ウェストはブリッジが患者の前記大動脈アーチの曲率に応じて曲がるようにフレキシブルである、シャーシ；
前記シャーシの内面あるいは外面の一つの上に配置され、前記ブリッジが大動脈アーチ内に配置された際に、前記ブリッジを通って患者の大動脈アーチ血管内に流れる血液をろ過するように、構成され、操作可能な、血液ろ過スリーブ；及び、
前記シャーシの外面上に配置され、前記ブリッジを前記大動脈アーチから回収するために前記ブリッジを円筒形状に折りたたむように、構成され、操作可能な、回収スリーブであって、前記回収スリーブに接続され、基端で束ねられた複数の回収ストリングを備え、前記回収ストリングは、ブリッジ回収ツールに接続され、前記回収ツールにより、大動脈アーチ内の配置からのブリッジの回収のために前記ブリッジを円筒形に折りたたむように前記回収スリーブに加えられた縦方向の力を伝達するように、構成及び操作可能である、回収スリーブ；
を備える、折りたたみ可能な血液ろ過大動脈アーチブリッジ。
【請求項９】
前記血液ろ過スリーブは、ブリッジの回収のためにブリッジが円筒形から折りたたまれる際に、血液ろ過スリーブが横方向ではなく縦方向に弾性的に拡張及び収縮するように、ニット編みされたメッシュである生物学的適合メッシュで製造された、請求項８のブリッジ。
【請求項１０】
前記回収スリーブは、前記スリーブの端部に加わる縦方向の力が、ブリッジを大動脈アーチ内の配置から回収するためのブリッジの円筒形への折りたたみに利用される径方向の力に変換されるように、ブレイド編みされた生物学的適合メッシュで製造された、請求項８のブリッジ。
【請求項１１】
前記回収スリーブは、前記ブリッジを前記大動脈アーチ内の配置から回収するための、前記回収ツールへの磁気的接続のために、前記回収ストリングの束ねられた基端に接続された、磁気ボタンをさらに備える、請求項８のブリッジ。
【請求項１２】
患者の管状組織の内部に配置された内部管状組織（ＩＴＯ）デバイスを回収するように構成され、
フレキシブル保持ワイヤ、
前記保持ワイヤの周りに同心円状に配置されたフレキシブルコア、
前記フレキシブルコアの周りに同心円状に配置されたフレキシブルな固定チューブ、
及び、
前記固定チューブの周りに同心円状に配置されたフレキシブルな可動外側シース、を備えるマルチ層カテーテルと；
前記マルチ層カテーテルの先端に配置され、ＩＴＯデバイスを患者の管状組織内の配置から回収するために前記ＩＴＯデバイスに接続されるように構成され、操作可能な、ＩＴＯデバイスカップリング機構と；
前記カテーテルに接続され、前記保持ワイヤ及び前記外側シースの縦方向の移動を制御するように、構成され、操作可能であるコントロールハンドルと、
を備える、回収ツール。
【請求項１３】
前記ＩＴＯデバイスカップリング機構は、
前記保持ワイヤの先端に取り付けられ、前記カテーテルを前記ブリッジに接続するように構成され、操作可能な、ブリッジコネクタを備える、請求項１２の回収ツール。
【請求項１４】
前記ＩＴＯデバイスカップリング機構は、前記固定チューブに取り付けられ、前記ブリッジを大動脈アーチ内の配置から回収するために前記ブリッジコネクタの前記回収スリーブへの接続を確保する、ロック爪を備える、請求項１３の回収ツール。
【請求項１５】
前記コントロールハンドルは、
ハウジングと、
前記ハウジング内にスライド可能に配置され、前記保持ワイヤ及び前記外側シースの縦方向の移動を制御するように、構成され、操作可能な、カテーテルコントロールモジュールと、
を備える、請求項１４の回収ツール。
【請求項１６】
前記コントロールハンドルは、前記保持ワイヤを、前記ロック爪が前記ブリッジコネクタと前記回収スリーブの接続を確保するロック位置に保持するように、構成され、操作可能な固定ワイヤ取付具を備える、請求項１５の回収ツール。